(57)【要約】【課題】媒体の挿入に対してベゼルシャッタの撓みに起因する離脱を防止でき、しかもベゼルシャッタの回動範囲が十分に確保できる。【解決手段】媒体３の挿入方向へのベゼルシャッタ１の撓みを規制するもので、シールドケース２の折り曲げ部２ａは、ベゼルシャッタ１の当接部１ｇと媒体３の挿入方向である矢印Ｄ方向に僅かの隙間ｇ１を有するように奥係止部２ｂを配置し、当接部１ｇとの下部方向に隙間ｇ２を有するように下部係止部２ｃを配置し、且つ下部係止部２ｃの先端は取付軸４の回転中心４ａより媒体３側にでるように配置する。【選択図】    図２
2005332583.tif 000002
【特許請求の範囲】
【請求項１】
記録媒体挿入口を遮蔽する遮蔽手段を有する記録媒体駆動装置において、
記録媒体の挿入時に前記記録媒体に当接し摺動しながら回動し、前記記録媒体挿入口を開放する遮蔽手段と、
前記遮蔽手段の回動支点を含む回動軸線に近接し、前記回動軸線から前記記録媒体挿入経路に向かう方向への前記遮蔽手段の変形を規制する係止部を有する遮蔽手段変形規制手段と、を備え、
記録媒体非挿入状態において、前記遮蔽手段変形規制手段の前記係止部は、前記回動軸線から前記記録媒体挿入経路に向かう方向において前記遮蔽手段と重なり合うとともに前記遮蔽手段とは記録媒体挿入経路側に隙間を有して配置されていることを特徴とする記録媒体駆動装置。
【請求項２】
請求項１において、
前記記録媒体駆動装置は、前記記録媒体駆動装置を覆うシールド部材を更に有し、
前記遮蔽手段変形規制手段は、前記シールド部材と一体に構成されるとともに、断面が略Ｚ状の折り曲げ部によって構成されていることを特徴とする記録媒体駆動装置。
【発明の詳細な説明】
【技術分野】
【０００１】
本発明は、記録媒体駆動装置に記録媒体を挿入するための挿入口を遮蔽するシャッタ機構に関するもので、特にシャッタの曲がり及びこれに起因する離脱の防止に関するものである。
【背景技術】
【０００２】
例えば、フレキシブルデイスク（ＦＤ）ドライブ装置の媒体挿入部分には挿入口を有する樹脂製の化粧板（以下、ベゼルと称する）が設けられており、その内側には媒体が挿入されていない状態で装置内に異物が入らないように挿入口を遮蔽するシャッタを設けている。媒体を挿入していくとシャッタ蓋が媒体に押されて取付軸を支点として回動し、挿入口を開放していく。さて、従来、この種のベゼルシャッタ機構は図４のような形状をしていて、媒体３がベゼル１０の挿開口部から挿入されてベゼルシャッタ１に当接すると、このベゼルシャッタは取付軸４を支点に上の方へ回動して挿入口を開放し、媒体３がシールドケース２に包まれた装置の内部に取り込まれることとなる。
【発明の開示】
【発明が解決しようとする課題】
【０００３】
ところが従来のこの種のものにあっては装置に媒体３が挿入されるとき、媒体３がベゼルシャッタ１の取付軸４の回動軸心より下部に当接するような図５のＡ位置に正常に挿入されれば問題はないのであるが、操作者の不注意等により媒体３が取付軸４の軸心に当たるようなＢ位置に挿入されると、ベゼルシャッタが撓み、更に媒体３の挿入を継続した場合はベゼルシャッタの取付軸４が軸穴より外れてしまうという不具合が生じた。
【０００４】
この不具合を解決するために、従来はベゼルシャッタの回動支点を上部へもっていくか、または曲がらないようにベゼルシャッタの厚みを厚くしていた。しかしながら、ベゼルシャッタの回動支点を上部へ移動した場合にはその分だけ装置の厚みが増してしまい、またベゼルシャッタを厚くした場合でも、当該ベゼルシャッタが回動して挿入口を開放した場合を想定すれば容易に理解されるとおり、当該増した厚みの分だけ装置の厚みが増してしまった。
【０００５】
本発明は上述の課題を解決し、装置の厚みを増すことなく、且つ、如何なる位置に媒体が挿入されてもベゼルシャッタの撓み及びこれに起因する離脱が発生することのないベゼルシャッタ機構及びこれを用いた媒体駆動装置を提供することを目的としている。
【課題を解決するための手段】
【０００６】
上記の課題を解決するため、本発明の記録媒体駆動装置は、記録媒体挿入口を遮蔽する遮蔽手段を有する記録媒体駆動装置において、記録媒体の挿入時に前記記録媒体に当接し摺動しながら回動し、前記記録媒体挿入口を開放する遮蔽手段と、前記遮蔽手段の回動支点を含む回動軸線に近接し、前記回動軸線から前記記録媒体挿入経路に向かう方向への前記遮蔽手段の変形を規制する係止部を有する遮蔽手段変形規制手段と、を備え、記録媒体非挿入状態において、前記遮蔽手段変形規制手段の前記係止部は、前記回動軸線から前記記録媒体挿入経路に向かう方向において前記遮蔽手段と重なり合うとともに前記遮蔽手段とは記録媒体挿入経路側に隙間を有して配置されていることを特徴とする。
【０００７】
また、前記記録媒体駆動装置は、前記記録媒体駆動装置を覆うシールド部材を更に有し、前記遮蔽手段変形規制手段は、前記シールド部材と一体に構成されるとともに、断面が略Ｚ状の折り曲げ部によって構成してもよい。
【０００８】
更に、遮蔽手段は、記録媒体との当接による回動時に遮蔽手段変形規制手段と当接すべき位置に、当該当接を回避可能な凹部もしくは孔を設けてもよい。
【０００９】
また更に、遮蔽手段変形規制手段は、遮蔽手段の回動支点を含む回動軸線に近接した位置であって、且つ記録媒体の経路と反対側の近傍の位置に、遮蔽手段が記録媒体の経路と反対側への変形を規制する手段をも備えてもよい。
【００１０】
また更に、記録媒体挿入口に連通する記録媒体経路を有した記録媒体保持手段とを有してもよい。
【００１１】
本発明の記録媒体駆動装置においては、遮蔽手段の回動支点を含む回動軸線に近接した位置であって、且つ遮蔽手段の記録媒体当接部背面の近傍及び記録媒体の経路側の近傍の位置に、記録媒体挿入方向及び媒体が遮蔽手段を摺動する方向への遮蔽手段の変形を規制する遮蔽手段変形規制手段を備えており、記録媒体が当該回動軸線に向かって挿入された場合及び挿入するスピードが速いもしくは表面状態が悪く媒体により摩擦力を受ける場合には、遮蔽手段が遮蔽手段変形規制手段に当接してその変形が規制されるため、大きく撓むことによって損傷を受けたり、また、変形によってその回動支点が離脱することがない。
【００１２】
又、遮蔽手段は、記録媒体との当接による回動時に遮蔽手段変形規制手段と当接すべき位置に、当該当接を回避可能な凹部もしくは孔を設けて成るので、記録媒体が正常に挿入される場合には、遮蔽手段の回動が遮蔽手段変形規制手段によって規制されることがなく、従って、記録媒体挿入口の開口を充分に確保することが可能となる。
【００１３】
更に、遮蔽手段変形規制手段は、遮蔽手段の回動支点を含む回動軸線に近接した位置であって、且つ記録媒体の経路と反対側の近傍の位置に、遮蔽手段が記録媒体の経路と反対側への変形を規制する手段をも備えているので、記録媒体の挿入時に、遮蔽手段に上方向の成分を有する力を受けても、遮蔽手段が遮蔽手段変形規制手段に当接してその変形が規制されるため、大きく撓むことによって損傷を受けたり、また、変形によってその回動支点が離脱することがない。
【００１４】
そして、当該記録媒体挿入口遮蔽機構を用いた記録媒体駆動装置は、これを覆うシールド部材を更に有し、遮蔽手段変形規制手段は当該シールド部材と一体に構成されるので、当該遮蔽手段変形規制手段のために新たな部材を追加することなく、所望の機能を有する遮蔽手段変形規制手段を容易に得ることができる。
【発明を実施するための最良の形態】
【００１５】
以下、この発明の実施例を図面の図１、図２及び図３に基づいて説明する。
【００１６】
図１、図２及び図３は本発明に係るベゼルシャッタ付きシールドケースの第１実施例を示す図であり、図１はその分解斜視図、図２は図１をＳ矢視した下部係止部の断面図であり、図３は図１をＳ矢視した上部係止部の断面図である。
【００１７】
図１において、ＡＢＳ等の樹脂で成形されたベゼルシャッタ１は、挿入された媒体を収納し装置内の所定の位置へと導くためのホルダ９等の機構を収納するベースフレーム８に、取付軸４を用いて回動可能に取付られている。また、シールドケース２はベースフレーム８に固定されており、従って、シールドケース２に加わる外力はベースフレーム８によってこれを受けることができる。
【００１８】
図１に示すように、シールドケース２には、ベゼルシャッタ１側の端部中央部分に断面が略Ｚ状の折り曲げ部２ａと、その左右に上部係止部２ｄが配置されており、一方、ベゼルシャッタ１には折り曲げ部２ａの先端部と係合する孔１ｆと、上部係止部２ｄと対向する位置に上部当接部１ｄが配置されている。
【００１９】
図２、図３で更に詳細に説明する。図２は、シールドケース２の折り曲げ部２ａとベゼルシャッタ１との係合関係の説明図である。シールドケース２の折り曲げ部２ａは、ベゼルシャッタ１の当接部１ｇと媒体３の挿入方向である矢印Ｄ方向に僅かの隙間ｇ１を有するように配置された奥係止部２ｂと、当接部１ｇとの下部方向に隙間ｇ２を有して配置された下部係止部２ｃを備えている。下部係止部２ｃの先端は取付軸４の回転中心４ａより媒体３側に配置されている。又、孔１ｆの孔下端部１ａは、ベゼルシャッタ１が取付軸４を中心に矢印Ｅ方向に回転した場合、折り曲げ部２ａと接触すること無く、ベゼルシャッタ１が一点鎖線のように回転できるような寸法であって、且つ媒体３を挿入するときに媒体３が引っかからないような最小の高さで成形されている。
【００２０】
図３は、シールドケース２の上部係止部２ｄとベゼルシャッタ１との係合関係の説明図である。ベゼルシャッタ１はシールドケース２の上部係止部２ｄと対向する位置を部分的に低くして隙間ｇ３があるように上部当接部１ｄを形成している。媒体３が矢印Ｄ方向挿入されてベゼルシャッタ１が取付軸４を中心に矢印Ｅ方向に回動されて一点鎖線の位置となっても同じ隙間があるように、上部当接部１ｄとベゼルシャッタ１の裏面１ｈは回転中心４ａからの距離を同じくして成形されている。
【００２１】
次に動作について説明する。
図２において、媒体３がＢ位置からベゼルシャッタ取付軸４の軸心に向けて挿入された場合、ベゼルシャッタ１の撓みは、当接部１ｇが当該撓みを規制する手段であるシールドケース２の折り曲げ部２ａの奥係止部２ｂと当接し、それ以上は撓むことができないため、したがってベゼルシャッタ１が更に撓んで塑性変形を起こしたり、また、ベゼルシャッタ取付軸４に応力が集中して、あるいはベゼルシャッタ１が撓むことにより当該取付軸の係合が解除されてしまったりする不具合を防止することができる。
【００２２】
また、図２に示すように、シールドケース２の折り曲げ部２ａには媒体挿入方向に平行な下部係止部２ｃが設けられている。以下、当該下部係止部２ｃの作用につき説明する。図６及び図７は当該下部係止部を有しない例を示す図である。図６においてＢ位置から媒体３を挿入しようとすると、ベゼルシャッタ１は当初折り曲げ部５によってその変形が規制されるが、さらに挿入を継続するとベゼルシャッタ１と折り曲げ部５との係合部が滑りをおこし、図７に示すようにベゼルシャッタ１が折り曲げ部５の下部に入り込んで係合する。そして媒体３の挿入を中止しても当該係合状態はベゼルシャッタ１と折り曲げ部５との摩擦力によって保持されてしまう。
【００２３】
図２に示す下部係止部２ｃはこのような不具合を解消するために設けられたものであり以下に詳述する。
【００２４】
媒体３を挿入すると、媒体３はベゼルシャッタ１の表面１ｊを滑りながら回動させてセットされるが、挿入するスピードが速い場合や表面状態が悪い場合は、ベゼルシャッタ１は進行方向の斜め下方に摩擦力を受け撓む。下部当接部１ｃと孔上端部１ｂは略隙間ｇ２撓むと下部係止部２ｃに当接してそれ以上撓むことがない。下部係止部２ｃの先端は取付軸４の回転中心４ａより挿入口側に配置されていることと、孔上端部１ｂと下部当接部１ｃが回転中心４ａから同距離で形成されていることから、ベゼルシャッタ１が回動される全ての状態において隙間ｇ２であり、確実に下部係止部２ｃによって係止される。
【００２５】
また、当接部１ｇは下部係止部２ｃの下に潜ることがない。このように本実施例は、媒体３がとベゼルシャッタ１の表面１ｊの滑り状態が悪くても従来の課題が発生しないものである。
【００２６】
図３において、上部係止部２ｄは中央部分に配置された折り曲げ部２ａの両側に配置されており、ベゼルシャッタ１が上方向に力を受ける場合には、上部当接部１ｄが隙間ｇ３撓むと上部係止部２ｄに当接しそれ以上の撓みはシールドケース２によって規制される。従って、例えば媒体３を下方から上方に向けて挿入された場合であっても、ベゼルシャッタ１が撓んで当該取付軸の係合が解除されてしまう不具合を防止することができる。特に、ベゼルシャッタ１の表面１ｊに対し取付軸４が奥に配置された場合であって、媒体３を下方から上方に向けて挿入されると、ベゼルシャッタ１は矢印Ｅ方向とは反対方向のモーメントが発生しやすい場合は、ベゼルシャッタ１が挿入方向の斜め上方に撓んで取付軸４の係合が解除され易いので、上記の上部係止部２ｄを配置することは大きな効果がある。
【００２７】
このように、ベゼルシャッタ１の変形防止の規制として、奥係止部２ｂ、下部係止部２ｃ及び上部係止部２ｄを配置すると、ベゼルシャッタには挿入方向以外の外力が働いた場合は全て取付軸４の係合が外れることがなく、乱暴な取扱い方をされてもよくオペレータの操作による不良は格段に少なくなり、本願の効果は大なるものである。
【００２８】
以上、本発明をフロッピディスクドライブ装置に応用した場合を例に挙げて説明したが、本発明は当該装置に限定されるものではなく、ビデオテープレコード装置、ＣＤ−ＲＯＭドライブ装置、光磁気媒体ドライブ装置等、記録媒体挿入口及びその遮蔽手段を有し、記録媒体を挿入する際に当該記録媒体との当接によって遮蔽手段を開放状態とする機構を有する装置に応用することは、本発明の上述の説明によって開示された技術を用いれば、当該装置の分野における通常の知識を有する者に容易なことである。
【００２９】
本実施例では、折り曲げ部２ａと上部係止部２ｄをベゼルシャッタ１の撓みが大きくなり易いシールドケース２の端部中央部分に配置して、その効果を最大限に引き出しているが、ベゼルシャッタの形状等により中央に限るものでもない。
【００３０】
また更に、本実施例は、媒体３がセットされた場合、折り曲げ部２ａと干渉しないようベゼルシャッタ１に孔１ｆを配置したが、孔や穴に限るものではなく、ベゼルシャッタ１の表面１ｊに孔がないよう凹部としてもかまわなく、凹部の場合は媒体３の挿入時に媒体が孔に引っかかることが無く、操作上の信頼性は更に高まるものである。
以上説明したように本発明によれば、遮蔽手段の回動支点を含む回動軸線に近接した位置であって、且つ遮蔽手段の記録媒体当接部背面の近傍及び記録媒体の経路側の近傍の位置に、記録媒体挿入方向及び媒体が遮蔽手段を摺動する方向への遮蔽手段の変形を規制する遮蔽手段変形規制手段を備えており、記録媒体が当該回動軸線に向かって挿入された場合及び挿入するスピードが速いもしくは表面状態が悪く媒体により摩擦力を受ける場合には、遮蔽手段が遮蔽手段変形規制手段に当接してその変形が規制されるため、大きく撓むことによって損傷を受けたり、また、変形によってその回動支点が離脱することがない。
【００３１】
又、遮蔽手段は、記録媒体との当接による回動時に遮蔽手段変形規制手段と当接すべき位置に、当該当接を回避可能な凹部もしくは孔を設けて成るので、記録媒体が正常に挿入される場合には、遮蔽手段の回動が遮蔽手段変形規制手段によって規制されることがなく、従って、記録媒体挿入口の開口を充分に確保することが可能となる。
【００３２】
更に、遮蔽手段変形規制手段は、遮蔽手段の回動支点を含む回動軸線に近接した位置であって、且つ記録媒体の経路と反対側の近傍の位置に、遮蔽手段が記録媒体の経路と反対側への変形を規制する手段をも備えているので、記録媒体の挿入時に、遮蔽手段に上方向の成分を有する力を受けても、遮蔽手段が遮蔽手段変形規制手段に当接してその変形が規制されるため、大きく撓むことによって損傷を受けたり、また、変形によってその回動支点が離脱することがない。
【００３３】
そして、当該記録媒体挿入口遮蔽機構を用いた記録媒体駆動装置は、これを覆うシールド部材を更に有し、遮蔽手段変形規制手段は当該シールド部材と一体に構成されるので、当該遮蔽手段変形規制手段のために新たな部材を追加することなく、所望の機能を有する遮蔽手段変形規制手段を容易に得ることができる。更に、かかる構成によれば、シールド部材が記録媒体挿入口の真上近傍まで延長されるので、当該部位からの外来雑音の侵入を防止する効果も併せて奏するものである。
【図面の簡単な説明】
【００３４】
【図１】本発明による記録媒体挿入口遮蔽機構の第１実施例の斜視図。
【図２】図１のＳ矢視した下部係止部の断面図。
【図３】図１のＳ矢視した上部係止部の断面図。
【図４】従来の記録媒体挿入口遮蔽機構の斜視図。
【図５】図４の縦断面図。
【図６】ベゼルシャッタと折り曲げ部との滑り現象を説明する縦断面図。
【図７】図６の斜視図。
【符号の説明】
【００３５】
１、ベゼルシャッタ
１ａ、孔下端部
１ｂ、孔上端部
１ｃ、下部当接部
１ｄ、上部当接部
１ｆ、孔
２、シールドケース
２ａ、折り曲げ部
２ｂ、奥係止部
２ｃ、下部係止部
２ｄ、上部係止部
３、媒体
４、ベゼルシャッタ取付軸
４ａ、取付軸回転中心
８、ベースフレーム
９、ホルダ
１０、ベゼル
【図１】
2005332583.tif 000003
【図２】
2005332583.tif 000004
【図３】
2005332583.tif 000005
【図４】
2005332583.tif 000006
【図５】
2005332583.tif 000007
【図６】
2005332583.tif 000008
【図７】
2005332583.tif 000009